(57)【要約】【課題】特定の領域に存在するユーザに対して的確な緊急情報を提供する。【解決手段】無線端末２６の入力部は、ユーザから、出力装置２２に出力する出力情報の入力を受け付ける。切替部は、無線通信の周波数を切替える。第３無線部は、無線通信の周波数が第１周波数に切替えられているときに緊急情報を該第１周波数で第１通信装置１８から受信し、無線通信の周波数が第２周波数に切替えられているときに、入力部で受け付けた出力情報を該第２周波数で第２通信装置２０へ送信する。音声出力部は、受信された緊急情報を音声情報として出力する。操作部は、ユーザが、無線通信の周波数を前記第２周波数に切替える事を指示すると共に出力装置２２への前記出力情報の出力を指示する。通信制御部は、ユーザによって操作部が指示されたときに、無線通信の周波数を第２周波数に切替えるように切替部を制御すると共に、入力部から受け付けた出力情報を第３無線部及び前記第２通信装置２０を介して出力装置２２へ送信する制御を行う。【選択図】図８
2013183448.tif 000002
【特許請求の範囲】
【請求項１】
速報装置と、無線端末と、第１通信装置と、第２通信装置と、出力装置と、を備えた無線システムであって、
前記速報装置は、
緊急速報を外部装置から受信する第１通信部と、
受信した前記緊急速報に基づいて、特定の領域に送信するための緊急情報を作成する作成部と、
前記緊急情報を前記第１通信装置へ送信する第２通信部と、を備え、
前記第１通信装置は、
前記緊急情報を受信する第３通信部と、
前記領域内に位置する前記無線端末に対して、前記緊急情報を第１周波数で送信する第１無線部と、を備え、
前記第２通信装置は、
前記領域内に位置する前記無線端末から、前記出力装置に出力する出力情報を前記第１周波数とは異なる第２周波数で受信する第２無線部と、
受信した前記出力情報を前記出力装置へ送信する第４通信部と、を備え、
前記出力装置は、
前記第２通信装置から前記出力情報を受信する第５通信部と、
受信した前記出力情報に応じた音声及び該出力情報に応じた画像の少なくとも一方を出力する出力部と、を備え、
前記無線端末は、
ユーザから、前記出力装置に出力する対象の前記出力情報の入力を受け付ける入力部と、
無線通信の周波数を切替える切替部と、
無線通信の周波数が前記第１周波数に切替えられているときに前記緊急情報を該第１周波数で前記第１通信装置から受信し、無線通信の周波数が前記第２周波数に切替えられているときに、前記入力部で受け付けた前記出力情報を該第２周波数で前記第２通信装置へ送信する第３無線部と、
受信した前記緊急情報を音声情報として出力する音声出力部と、
ユーザが、無線通信の周波数を前記第２周波数に切替える事を指示すると共に前記出力装置への前記出力情報の出力を指示する操作部と、
ユーザによって前記操作部が指示されたときに、無線通信の周波数を前記第２周波数に切替えるように前記切替部を制御すると共に、前記入力部から受け付けた前記出力情報を前記第３無線部及び前記第２通信装置を介して前記出力装置へ送信する制御を行う通信制御部と、を備える、
無線システム。
【請求項２】
前記通信制御部は、
前記第１通信装置から前記緊急情報が受信されたときに、ユーザによる前記操作部の指示を受け付ける、請求項１に記載の無線システム。
【請求項３】
複数の前記無線端末を備え、
前記複数の無線端末は、予め定めた第１群に属する第１無線端末と、予め定めた第２群に属する第２無線端末と、に分類され、
前記第１無線端末における前記通信制御部は、前記第１通信装置から前記緊急情報が受信されたときに、ユーザによる前記操作部の指示を無効とし、
前記第２無線端末における前記通信制御部は、ユーザによる前記操作部の指示を常時有効とする、
請求項１に記載の無線システム。
【請求項４】
緊急速報に基づいて作成された予め定めた領域に送信するための緊急情報を送信する第１通信装置と第１周波数で無線通信すると共に、出力情報に応じた音声及び該出力情報に応じた画像の少なくとも一方を予め定められた領域に対して出力する出力装置に対して、該出力情報を送信する第２通信装置と、第２周波数で無線通信する、無線端末であって、
前記出力装置に出力する対象の前記出力情報の入力を、ユーザから受け付ける入力部と、
無線通信の周波数を切替える切替部と、
無線通信の周波数が前記第１周波数に切替えられているときに、前記緊急情報を前記第１通信装置から受信し、無線通信の周波数が前記第２周波数に切替えられているときに、前記入力部で受け付けた前記出力情報を該第２周波数で前記第２通信装置へ送信する第３無線部と、
ユーザが、無線通信の周波数を前記第２周波数に切替える事を指示すると共に前記出力装置への前記出力情報の出力を指示する操作部と、
受信された前記緊急情報を音声情報として出力する音声出力部と、
ユーザによって前記操作部が指示されたときに、無線通信の周波数を前記第２周波数に切替えるように前記切替部を制御すると共に、前記入力部から受け付けた前記出力情報を前記第３無線部及び前記第２通信装置を介して前記出力装置へ送信する制御を行う通信制御部と、
を備えた無線端末。
【発明の詳細な説明】
【技術分野】
【０００１】
本発明は、無線システム、及び無線端末に関する。
【背景技術】
【０００２】
特定の領域に音声データ等の情報を提供するシステムが知られている。例えば、特許文献１には、構内の各場所に無線受信機の受信アンテナやワイヤレスマイクロフォンを設置することが開示されている。そして、特許文献１には、非常事態発生時には、最寄りのワイヤレスマイクロフォンから全館へ非常放送を行うことが開示されている。また、特許文献２には、駅構内放送システムが開示されており、携帯端末から送信された携帯識別番号及び音声データに基づいて、該当するホームに放送を流すことが開示されている。
【先行技術文献】
【特許文献】
【０００３】
【特許文献１】特開平５−５６０１２号公報
【特許文献２】特開２０００−２００３０７号公報
【発明の概要】
【発明が解決しようとする課題】
【０００４】
しかしながら、上記従来技術では、災害発生時等の緊急時に、特定の領域に存在するユーザに対して的確な緊急情報を提供することは困難であった。
【０００５】
本発明は、上記に鑑みてなされたものであって、特定の領域に存在するユーザに対して的確な緊急情報を提供することができる、無線システム、及び無線端末を提供することを主な目的とする。
【課題を解決するための手段】
【０００６】
本発明の無線システムは、速報装置と、無線端末と、第１通信装置と、第２通信装置と、出力装置と、を備えた無線システムである。前記速報装置は、第１通信部と、作成部と、を備える。第１通信部は、緊急速報を外部装置から受信する。作成部は、受信した前記緊急速報に基づいて、特定の領域に送信するための緊急情報を作成する。第２通信部は、前記緊急情報を前記第１通信装置へ送信する。前記第１通信装置は、第３通信部と、第１無線部と、を備える。第３通信部は、前記緊急情報を受信する。第１無線部は、前記領域内に位置する前記無線端末に対して、前記緊急情報を第１周波数で送信する。前記第２通信装置は、第２無線部と、第４通信部と、を備える。第２無線部は、前記領域内に位置する前記無線端末から、前記出力装置に出力する出力情報を前記第１周波数とは異なる第２周波数で受信する。第４通信部は、受信した前記出力情報を前記出力装置へ送信する。前記出力装置は、第５通信部と、出力部と、を備える。第５通信部は、前記第２通信装置から前記出力情報を受信する。出力部は、受信した前記出力情報に応じた音声及び該出力情報に応じた画像の少なくとも一方を出力する。前記無線端末は、入力部と、切替部と、第３無線部と、音声出力部と、操作部と、通信制御部と、を備える。入力部は、ユーザから、前記出力装置に出力する対象の前記出力情報の入力を受け付ける。切替部は、無線通信の周波数を切替える。第３無線部は、無線通信の周波数が前記第１周波数に切替えられているときに前記緊急情報を該第１周波数で前記第１通信装置から受信し、無線通信の周波数が前記第２周波数に切替えられているときに、前記入力部で受け付けた前記出力情報を該第２周波数で前記第２通信装置へ送信する。音声出力部は、受信した前記緊急情報を音声情報として出力する。操作部と、ユーザが、無線通信の周波数を前記第２周波数に切替える事を指示すると共に前記出力装置への前記出力情報の出力を指示する。通信制御部は、ユーザによって前記操作部が指示されたときに、無線通信の周波数を前記第２周波数に切替えるように前記切替部を制御すると共に、前記入力部から受け付けた前記出力情報を前記第３無線部及び前記第２通信装置を介して前記出力装置へ送信する制御を行う。
【０００７】
本発明の無線端末は、緊急速報に基づいて作成された予め定めた領域に送信するための緊急情報を送信する第１通信装置と第１周波数で無線通信すると共に、出力情報に応じた音声及び該出力情報に応じた画像の少なくとも一方を予め定められた領域に対して出力する出力装置に対して、該出力情報を送信する第２通信装置と、第２周波数で無線通信する、無線端末である。本発明の無線端末は、入力部と、切替部と、第３無線部と、操作部と、音声出力部と、通信制御部と、を備える。入力部は、前記出力装置に出力する対象の前記出力情報の入力を、ユーザから受け付ける。切替部は、無線通信の周波数を切替える。第３無線部は、無線通信の周波数が前記第１周波数に切替えられているときに、前記緊急情報を前記第１通信装置から受信し、無線通信の周波数が前記第２周波数に切替えられているときに、前記入力部で受け付けた前記出力情報を該第２周波数で前記第２通信装置へ送信する。操作部は、ユーザが、無線通信の周波数を前記第２周波数に切替える事を指示すると共に前記出力装置への前記出力情報の出力を指示する。音声出力部は、受信された前記緊急情報を音声情報として出力する。通信制御部は、ユーザによって前記操作部が指示されたときに、無線通信の周波数を前記第２周波数に切替えるように前記切替部を制御すると共に、前記入力部から受け付けた前記出力情報を前記第３無線部及び前記第２通信装置を介して前記出力装置へ送信する制御を行う。
【発明の効果】
【０００８】
本発明によれば、特定の領域に存在するユーザに対して的確な緊急情報を提供することができる、という効果を奏する。
【図面の簡単な説明】
【０００９】
【図１】図１は、無線システムの構成を示す模式図である。
【図２】図２は、速報装置を示す機能ブロック図である。
【図３】図３は、第１通信装置の機能ブロック図である。
【図４】図４は、第２通信装置の機能ブロック図である。
【図５】図５は、出力装置の機能ブロック図である。
【図６】図６は、無線端末の外観を示す模式図である。
【図７】図７は、無線端末の機能ブロック図である。
【図８】図８は、無線システムにおける、通信処理の全体の流れの概要を示すシーケンス図である。
【図９】図９は、無線端末が実行する緊急処理の手順を示すフローチャートである。
【図１０】図１０は、無線端末が実行する緊急処理の手順を示すフローチャートである。
【発明を実施するための形態】
【００１０】
以下に添付図面を参照して、本実施形態にかかる無線システム及び無線端末の実施の形態を詳細に説明する。
【００１１】
図１は、本実施の形態の無線システム１０の構成を示す模式図である。
【００１２】
図１に示すように、無線システム１０は、災害情報提供装置１２、速報装置１６、第１通信装置１８、第２通信装置２０、出力装置２２、及び無線端末２６を備える。
【００１３】
災害情報提供装置１２と速報装置１６とは、ネットワーク１４を介して接続されている。ネットワーク１４は、公知の通信回線である。ネットワーク１４は、有線通信網であっても無線通信網であってもよい。ネットワーク１４は、例えば、ＬＡＮ（Ｌｏｃａｌ  Ａｒｅａ  Ｎｅｔｗｏｒｋ）を用い、Ｅｔｈｅｒｎｅｔ（登録商標）やＴＣＰ／ＩＰなどの通信プロトコルを利用する。ネットワーク１４は、例えば、インターネットであり、ＥｔｈｅｒｎｅｔやＴＣＰ／ＩＰなどの通信プロトコルを利用する。
【００１４】
速報装置１６と第１通信装置１８とは有線接続されている。また、第２通信装置２０と出力装置２２とは、有線接続されている。例えば、速報装置１６と第１通信装置１８、及び第２通信装置２０と出力装置２２は、ＲＳ−２３２Ｃ等のインターフェースケーブル等により有線接続されている。なお、速報装置１６と第１通信装置１８、及び第２通信装置２０と出力装置２２は、ネットワークを介して接続されていてもよい。また、速報装置１６と第１通信装置１８、及び第２通信装置２０と出力装置２２は、ネットワークとしての有線通信網や無線通信網を介して接続されていてもよい。
【００１５】
第１通信装置１８と無線端末２６とは、特定の周波数である第１周波数で無線通信する。また、第２通信装置２０と無線端末２６とは、第１周波数とは異なる第２周波数で無線通信する。第１周波数は、無線端末２６による無線通信で使用可能な予め定められた周波数帯域内の特定の周波数であればよい。また、第２周波数は、第１周波数とは異なる周波数であって、且つ、無線端末２６による無線通信で使用可能な予め定められた周波数帯域内の特定の周波数であればよい。なお、無線端末２６間では、第１周波数及び第２周波数とは異なる第３周波数で無線通信する。この第３周波数は、第１周波数及び第２周波数とは異なる周波数であり、無線端末２６による無線通信で使用可能な予め定められた周波数帯域内の特定の周波数であればよい。
【００１６】
災害情報提供装置１２は、第１通信装置１８及び第２通信装置２０の無線通信領域である予め定められた領域（図１中、領域Ｐ参照）を少なくとも含む領域に対する、災害に関する緊急速報を提供する装置である。緊急速報には、地震の揺れの予報情報（震源、地震の規模の推定結果）や、水害や雷等の気象の予測情報がある。災害情報提供装置１２には、例えば、気象情報配信サービスを実行する公知のサーバーや、緊急地震速報配信サービスを実行する公知のサーバーが挙げられる。
【００１７】
速報装置１６は、災害情報提供装置１２から緊急速報を受信し、該緊急速報に応じて、特定の領域Ｐに送信する緊急情報を生成する。すなわち、速報装置１６は、受信した緊急速報に基づいて、領域Ｐ内に提供するための緊急情報を生成する。領域Ｐは、第１通信装置１８Ｅが送受信可能な通信範囲である。領域Ｐは、例えば、第１通信装置１８を中心とした半径１２ｋｍ程度の円状の領域である。領域Ｐは、複数の領域Ｑを含み、速報装置１６、第１通信装置１８、第２通信装置２０は例えば、複数のイベント会場（領域Ｑ）を統括する役所などに設置される。
【００１８】
緊急情報は、領域Ｐにおける災害の規模の予測情報や災害の発生時刻の予測情報等である。さらに詳細には、緊急情報は、例えば、地震の主要動が領域Ｐに到達する到達予測時刻や、領域Ｐにおける地震の規模や、領域Ｐにおける雷の発生時刻や、領域Ｐにおける雷の規模、領域Ｐにおける水害の規模、領域Ｐへの水の到達予測時刻、等を含む情報である。速報装置１６は、災害情報提供装置１２から受信した緊急速報に基づいて、公知の算出方法を用いて緊急情報を生成する。
【００１９】
第１通信装置１８は、領域Ｐ内に位置する無線端末２６と、第１周波数で無線通信する。第１通信装置１８は、速報装置１６で生成された緊急情報を受け付け、該緊急情報を、第１周波数で領域Ｐ内に位置する各無線端末２６へ無線通信により送信する。
【００２０】
出力装置２２は、少なくとも、第１通信装置１８及び第２通信装置２０の無線通信可能な領域である領域Ｐ内に、音声及び画像の少なくとも一方を出力する。出力装置２２には、出力情報を表示する表示装置や、出力情報を音声として出力する音声出力装置等がある。出力装置２２は、少なくとも、第１通信装置１８及び第２通信装置２０の無線通信可能な領域である領域Ｐ内に、１つ以上配置される。
【００２１】
出力情報は、緊急時等に特定のユーザが無線端末２６から出力装置２２を介して領域Ｐ内に発信する情報である。
【００２２】
また、出力装置２２は、これらの表示装置と音声出力装置の双方を備えた構成であってもよい。表示装置には、公知の表示装置を用いればよい。また、音声出力装置には、公知の音声出力装置を用いればよい。
【００２３】
なお、第２通信装置２０は、出力装置２２と一体的に構成されていてもよい。例えば、第２通信装置２０と出力装置２２は、通信出力装置２４として一体的に構成されていてもよい。第２通信装置２０は、領域Ｐ内に位置する無線端末２６と、第２周波数で無線通信する。本実施の形態では、第２通信装置２０は、領域Ｐ内に位置する無線端末２６から、出力装置２２で出力する対象の出力情報を受信し、出力装置２２へ出力する。
【００２４】
無線端末２６は、災害情報提供装置１２及び第２通信装置２０と無線通信可能な無線端末である。すなわち、無線端末２６は、領域Ｐ内において使用される無線端末である。無線端末２６には、ユーザによって携帯される携帯型のものや、設置して用いる設置型ものがある。無線端末２６は、予め設定しておいた第３周波数で、他の無線端末２６と通信を行う。
【００２５】
次に、無線システム１０における各装置の構成を説明する。
【００２６】
図２は、速報装置１６を示す機能ブロック図である。図２に示すように、速報装置１６は、第１通信部１６Ａ、第２通信部１６Ｂ、記憶部１６Ｃ、及び制御部１６Ｄを備える。
【００２７】
第１通信部１６Ａは、ネットワーク１４を介して災害情報提供装置１２と通信するための通信インターフェースである。本実施の形態では、第１通信部１６Ａは、災害情報提供装置１２（外部装置）から緊急速報を受信する。第２通信部１６Ｂは、第１通信装置１８と通信するための通信インターフェースである。本実施の形態では、第２通信部１６Ｂは、第１通信装置１８に緊急情報を送信する。
【００２８】
記憶部１６Ｃは、書き換え可能個体メモリ等の記憶媒体であり、災害情報提供装置１２から受信した緊急速報に基づいて、上記緊急情報を算出するためのプログラムや、各種データ等を記憶する。
【００２９】
制御部１６Ｄは、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）などを含んで構成されるコンピュータであり、速報装置１６全体を制御する。制御部１６Ｄは、作成部１６Ｅ及び通信制御部１６Ｆを備える。作成部１６Ｅは、災害情報提供装置１２から第１通信部１６Ａを介して受け付けた緊急速報から、緊急情報を作成する。なお、作成部１６Ｅは、緊急情報を作成するためのプログラムを記憶部１６Ｃからよみとり、緊急速報から緊急情報を作成する。
【００３０】
地震速報を例とすると、記憶部１６Ｃには、自装置の位置情報を記憶している。第１通信部１６Ａは、災害情報提供装置１２としての気象庁の情報配信センターから情報配信データを受け取る。作成部１６Ｅは、記憶している自装置の位置情報と、情報配信データに基づき、第１通信装置の送信エリアである領域Ｐ内に影響がありそうな地震の場合、予測震度情報、到達時間情報を算出し、緊急情報として作成する。作成部１６Ｅは、第１通信装置の送信エリア内に影響がありそうな地震かどうかは、例えば震度４以上の地震が予測されるか否かによって判定する。
【００３１】
通信制御部１６Ｆは、災害情報提供装置１２及び第１通信装置１８の各々との通信を制御する。通信制御部１６Ｆは、作成部１６Ｅで作成された緊急情報を、第１通信装置１８へ送信する制御を行う。
【００３２】
図３は、第１通信装置１８の機能ブロック図である。図３に示すように、第１通信装置１８は、第３通信部１８Ａ、制御部１８Ｂ、記憶部１８Ｃ、第１無線部１８Ｄ、及びアンテナ１８Ｅを備える。
【００３３】
第３通信部１８Ａは、速報装置１６と通信するための通信インターフェースである。第３通信部１８Ａは、速報装置１６から緊急情報を受信する。記憶部１８Ｃは、各種情報や、速報装置１６で行う各処理を実行するためのプログラム等を記憶する。制御部１８Ｂは、ＣＰＵ、ＲＯＭ、及びＲＡＭなどを含んで構成されるコンピュータであり、第１通信装置１８全体を制御する。
【００３４】
第１無線部１８Ｄは、アンテナ１８Ｅを介して領域Ｐ内の無線端末２６と第１周波数で無線通信する。本実施の形態では、第１無線部１８Ｄは、速報装置１６から受信した緊急情報を、第１周波数で、アンテナ１８Ｅを介して領域Ｐ内の無線端末２６へ送信する。
【００３５】
なお、アンテナ１８Ｅには、無線端末２６に設けられたアンテナ（詳細後述）より利得（ゲイン）の高いアンテナを用いる。なお、第２通信装置２０についても同様である（詳細後述）。このため、図１に示すように、各無線端末２６間で無線通信する場合には、領域Ｐより狭い領域Ｑ内で無線通信することとなる。一方、各無線端末２６が第１通信装置１８や後述する第２通信装置２０と無線通信可能な領域Ｐは、領域Ｑより広い領域となる。
【００３６】
図４は、第２通信装置２０の機能ブロック図である。図４に示すように、第２通信装置２０は、第４通信部２０Ａ、制御部２０Ｂ、記憶部２０Ｃ、第２無線部２０Ｄ、及びアンテナ２０Ｅを備える。
【００３７】
第２無線部２０Ｄは、アンテナ２０Ｅを介して領域Ｐ内の無線端末２６と無線通信する。詳細には、第２無線部２０Ｄは、領域Ｐ内に位置する無線端末２６から、出力装置２２に出力する対象の出力情報を、アンテナ２０Ｅを介して第２周波数で受信する。
【００３８】
なお、アンテナ２０Ｅには、無線端末２６に設けられたアンテナ（詳細後述）より利得（ゲイン）の高いアンテナを用いる。また。第２通信装置２０の無線可能な範囲と、第１通信装置１８の無線可能な範囲は同じ領域Ｐである。このため、アンテナ２０Ｅには、第１通信装置１８に設けられたアンテナ１８Ｅと同じ利得のアンテナを用いる。
【００３９】
第４通信部２０Ａは、出力装置２２と通信するための通信インターフェースである。第４通信部２０Ａは、第２無線部２０Ｄで受信した出力情報を出力装置２２へ送信する。記憶部２０Ｃは、各種情報や、第２通信装置２０で行う各処理を実行するためのプログラム等を記憶する。制御部２０Ｂは、ＣＰＵ、ＲＯＭ、及びＲＡＭなどを含んで構成されるコンピュータであり、第２通信装置２０全体を制御する。本実施の形態では、制御部２０Ｂは、無線端末２６から第２無線部２０Ｄで受け付けた出力情報を、第４通信部２０Ａを介して出力装置２２へ送信する制御を行う。
【００４０】
図５は、出力装置２２の機能ブロック図である。図５に示すように、出力装置２２は、第５通信部２２Ａ、出力部２２Ｄ、及び制御部２２Ｅを備える。
【００４１】
第５通信部２２Ａは、第２通信装置２０と通信するための通信インターフェースである。第５通信部２２Ａは、無線端末２６から第２通信装置２０を介して出力対象の出力情報を受信する。
【００４２】
出力部２２Ｄは、第５通信部２２Ａで受け付けた出力情報に応じた音声及び該出力情報に応じた画像の少なくとも一方を、領域Ｐ内に出力する。出力部２２Ｄは、音声出力部２２Ｂ及び表示部２２Ｃを含んでいる。音声出力部２２Ｂは、音声を出力する装置である。音声出力部２２Ｂには、領域Ｐ内に位置するユーザが聞き取り可能な程度の音量で音声を出力可能な装置を用いればよく、公知のスピーカーを用いればよい。表示部２２Ｃは、出力情報に応じた画像を表示する表示装置である。表示部２２Ｃには、領域Ｐ内に位置するユーザが視認可能な程度の大きさで画像を表示可能な表示装置を用いればよい。この表示部２２Ｃには、公知の表示装置を用いればよい。なお、出力部２２Ｄは、音声出力部２２Ｂ及び表示部２２Ｃを備えた構成であればよいが、音声出力部２２Ｂ及び表示部２２Ｃの何れか一方を備えた構成であればよい。
【００４３】
制御部２２Ｅは、ＣＰＵ、ＲＯＭ、及びＲＡＭなどを含んで構成されるコンピュータであり、出力装置２２全体を制御する。本実施の形態では、制御部２２Ｅは、無線端末２６から第２通信装置２０を介して受け付けた出力情報を、出力部２２Ｄに出力する制御を行う。
【００４４】
図１に戻り、本実施の形態では、速報装置１６、第１通信装置１８、第２通信装置２０、及び出力装置２２は、同一の建物２８内に配置されている場合を説明するが、これらの装置の内、出力装置２２、または出力装置２２及び第２通信装置２０（通信出力装置２４）を、領域Ｐ内の任意の位置に配置してもよい。具体的には、図１に示すように、領域Ｑ内に、第２通信装置２０´と出力装置２２´を備えた通信出力装置２４´を配置してもよい。なお、第２通信装置２０´、出力装置２２´、通信出力装置２４´の各々は、第２通信装置２０、出力装置２２、通信出力装置２４の各々と同じ構成である。ただし、アンテナ２０´Ｅは、アンテナ２０Ｅとは異なり、領域Ｑ内を送受信可能な通信範囲とする程度のアンテナ利得を有している。
【００４５】
また、無線システム１０は、複数の通信出力装置２４を備えた構成であってもよい。この場合には、各通信出力装置２４を、領域Ｐ内の互いに異なる位置に複数配置した構成としてもよい。
【００４６】
通信出力装置２４を領域Ｐ内に複数配置した具体例としては、学校の構内にスピーカを複数配置した、構内放送システムが挙げられる。通信出力装置２４を領域Ｐ内に複数配置した他の例としては、イベント会場に設置されたＰＡ（Ｐｕｂｌｉｃ  Ａｄｄｒｅｓｓ）システムである。通信出力装置２４を領域Ｐ内に複数配置したさらなる例には、イベント会場に設置されたデジタルサイネージがある。
【００４７】
次に、無線端末２６について説明する。
【００４８】
図６は、無線端末２６の外観を示す模式図である。図６に示すように、無線端末２６の無線端末本体３０の形状は、略立方体形状となっている。なお、無線端末本体３０の形状は、立方体形状に限られない。また、図６には、ユーザによって携帯される携帯型の無線端末２６を示したが、設置した状態で使用される設置型であってもよい。
【００４９】
無線端末本体３０には、アンテナ４１が設けられている。無線端末２６は、アンテナ４１を介して、第１通信装置１８及び第２通信装置２０や、他の無線端末２６と無線通信を行う。
【００５０】
無線端末本体３０の一面には、音声出力部３２、表示部３６、操作部３８、及び音声入力部４２が設けられている。なお、これらは、同一面に配置された構成に限られない。
【００５１】
音声出力部３２は、アンテナ４１を介して第１通信装置１８から受信した緊急情報の音声や、他の無線端末２６から受信した音声情報の音声等を出力する。表示部３６は、各種情報を表示する。本実施の形態では、アンテナ４１を介して第１通信装置１８から受信した情報（詳細後述）を、文字情報として表示する。
【００５２】
音声入力部４２は、ユーザの声等の音声情報を入力する。本実施の形態では、音声入力部４２は、無線端末２６から出力装置２２を介して領域Ｐ内に配信する対象の出力情報の入力を、ユーザから受け付ける。音声入力部４２には、公知のマイク等を用いる。出力情報は、上述したように、緊急時等に特定のユーザが無線端末２６から出力装置２２を介して領域Ｐ内に発信する情報である。
【００５３】
操作部３８は、ユーザから各種情報の入力を受け付ける。本実施の形態では、操作部３８は、無線通信に用いる周波数の変更指示をユーザから受け付けるための操作ボタンである。なお、本実施の形態では、無線端末２６は、予め定めた少なくとも３種類のチャンネルを用意しており、各チャンネルに、第１周波数、第２周波数、及び第３周波数を割り当てている。そして、ユーザによって操作部３８が操作指示されることで、第１周波数に対応するチャンネル、第２周波数に対応するチャンネル、第３周波数に対応するチャンネルの切り替えが可能な構成となっている。
【００５４】
また、無線端末本体３０の側面３０Ａ（表示部３６や音声出力部３２の設けられた面に連続する他の面）には、操作部４０及びＰＴＴボタン３９が設けられている。なお、操作部４０は、無線端末本体３０がユーザによって把持された状態において、ユーザの手（図６中、手Ｕ参照）の一部によって接する可能性の高い領域に設けられている事が好ましい。また、操作部４０は、無線端末本体３０がユーザによって把持された状態において、ユーザの指に接する可能性の高い領域に設けられていることが更に好ましい。このような位置に操作部４０を配置することで、緊急時に、ユーザが操作部４０を容易に操作することができる。
【００５５】
なお、本実施の形態では、操作部４０は、無線端末本体３０の側面に設けられている場合を説明するが、上記条件を満たす位置に設けられていればよく、側面に限られない。
【００５６】
操作部４０は、無線通信の周波数を第２周波数に切替える事を指示すると共に出力装置２２への出力情報の出力を指示するための指示ボタンであり、ユーザによって操作指示される。なお、操作部４０は、ユーザによって操作指示される形状であればよく、ボタン状の構造に限られない。
【００５７】
ＰＴＴボタン３９は、無線端末２６から各種情報を発信するときに、ユーザによって操作されるボタンである。ユーザがＰＴＴボタン３９を操作することで、ＰＴＴ信号が無線端末２６の後述する制御部４６に送信される。ＰＴＴ信号は、送信開始を示す制御信号である。なお、ＰＴＴボタン３９は、ユーザによって操作指示される形状であればよく、ボタン状の構造に限られない。
【００５８】
図７は、無線端末２６の機能ブロック図である。
【００５９】
図７に示すように、無線端末２６は、表示部３６、操作部３８、操作部４０、音声入力部４２、記憶部４４、制御部４６、第３無線部４８、ＰＴＴボタン３９、及びアンテナ４１を備える。なお、無線端末２６は、表示部３６を備えない構成であってもよい。
【００６０】
記憶部４４は、各種情報を記憶する。記憶部４４は、ハードディスクドライブ装置（ＨＤＤ）等の記憶媒体であり、各種処理を実行するためのプログラムや、各種データ等を記憶する。また、本実施の形態では、上述したように、無線端末２６は、予め定めた少なくとも３種類のチャンネルを用意しており、各チャンネルに、第１周波数、第２周波数、及び第３周波数を割り当てている。そして、各チャンネルを示す情報に対応する周波数を、記憶部４４に記憶している。例えば、記憶部４４は、チャンネル５０に対応づけて第１周波数を記憶し、チャンネル６０に対応づけて第２周波数を記憶し、チャンネル１に対応づけて第３周波数を記憶する。なお、システムに中継器を用いる場合は、各チャンネルに対応付けて、送信周波数と受信周波数とを記憶しても良い。
【００６１】
第３無線部４８は、アンテナ４１を介して領域Ｐ内の無線端末２６と無線通信する。また、第３無線部４８は、アンテナ４１を介して、第１通信装置１８及び第２通信装置２０と無線通信する。詳細には、第３無線部４８は、無線通信の周波数が第１周波数に切替えられているときに、緊急情報を該第１周波数で第１通信装置１８から受信する。また、第３無線部４８は、無線通信の周波数が第２周波数に切替えられて、ＰＴＴボタン３９が押されているときに、音声入力部４２で受け付けた出力情報を該第２周波数で第２通信装置２０へ送信する。第３無線部４８は、無線通信の周波数が第２周波数に切替えられて、ＰＴＴボタン３９が押されていないときには、第２通信装置２０から送信された情報を第２周波数で待ち受ける受信待ち受け状態となる。これらの周波数の切り替えは、後述する切替部４６Ａで行う。また、第３無線部４８は、無線通信の周波数が第２周波数に切替えられて、ＰＴＴボタン３９が押されているときに、音声入力部４２で受け付けた出力情報を該第２周波数で第２通信装置２０へ送信する。第３無線部４８は、無線通信の周波数が第２周波数に切替えられて、ＰＴＴボタン３９が押されていないときには、第２通信装置２０から送信された情報を第２周波数で待ち受ける受信待ち受け状態となる。
【００６２】
ここで、上述したように、無線端末２６に設けられているアンテナ４１は、第１通信装置１８及び第２通信装置２０に比べて低利得のアンテナである。このため、各無線端末２６は、より高利得なアンテナ（アンテナ１８Ｅ、アンテナ２０Ｅ）を備えた第１通信装置１８や第２通信装置２０の無線通信領域である領域Ｐ内では、無線端末２６は、これらの第１通信装置１８や第２通信装置２０と無線通信可能である。一方、各無線端末２６同士の無線通信は、領域Ｐ内における、領域Ｐより狭い範囲の領域Ｑ内で行われることとなる。
【００６３】
制御部４６は、ＣＰＵ、ＲＯＭ、及びＲＡＭなどを含んで構成されるコンピュータであり、無線端末２６全体を制御する。制御部４６は、切替部４６Ａ及び通信制御部４６Ｂを備える。
【００６４】
切替部４６Ａは、無線通信の周波数を切替える。本実施の形態では、切替部４６Ａは、第１周波数、第２周波数、または第３周波数の間で周波数の切り替えを行う。切替部４６Ａは、通信制御部４６Ｂによって、周波数の切り替えを制御される。なお、切替部４６Ａは、これらの３種類の周波数以外の周波数への切り替えの可能な構成であってもよい。
【００６５】
通信制御部４６Ｂは、第１通信装置１８、第２通信装置２０、及び他の無線端末２６の各々との通信を制御する。また、通信制御部４６Ｂは、切替部４６Ａの周波数の切り替えを制御する。本実施の形態では、通信制御部４６Ｂは、ユーザによって操作部４０が指示されたときに、無線通信の周波数を第２周波数に切替えるように切替部４６Ａを制御する。また、通信制御部４６Ｂは、ユーザによって操作部４０が指示されたときに、音声入力部４２から入力された出力情報を、第３無線部４８及び第２通信装置２０を介して出力装置２２に送信する制御を行う。
【００６６】
次に、本実施の形態の無線システム１０における、通信処理の全体の流れの概要を説明する。
【００６７】
図８は、本実施の形態の無線システム１０における、通信処理の全体の流れの概要を示すシーケンス図である。
【００６８】
速報装置１６が災害情報提供装置１２から緊急速報を受信すると、災害情報提供装置１２が緊急情報を作成する。そして、速報装置１６は、まず、アラート信号を第１通信装置１８へ送信する（ＳＥＱ１）。アラート信号とは、緊急情報をこれから送信することを示す警告信号である。アラート信号には、警告や確認や注意を促すメッセージが含まれる。
【００６９】
速報装置１６からアラート信号を受信した第１通信装置１８は、受信したアラート信号を領域Ｐ内の無線端末２６へ送信する（ＳＥＱ２）。アラート信号を受信した無線端末２６は、受信したアラート信号によって示される警告メッセージを表示部３６に表示する（ＳＥＱ３）。
【００７０】
なお、アラート信号によって示される警告メッセージと、警告メッセージを一意に識別する識別情報と、を対応づけて、予め速報装置１６及び無線端末２６に予め記憶してもよい。この場合には、速報装置１６は、送信対象の警告メッセージに対応する識別情報をアラート信号として、第１通信装置１８を介して無線端末２６へ送信すればよい。そして、無線端末２６では、受信したアラート信号に含まれる識別情報に対応する警告メッセージを記憶部４４から読み取り、表示部３６に表示すればよい。このため、無線端末２６では、緊急情報の受信前に、警告メッセージを表示部３６に表示することができる。
【００７１】
次に、速報装置１６が、緊急情報を、第１通信装置１８へ送信する（ＳＥＱ４）。緊急情報を受信した第１通信装置１８は、受信した緊急情報を、領域Ｐ内に位置する無線端末２６へ送信する（ＳＥＱ５）。緊急情報を受信した無線端末２６は、受信した緊急情報によって示される音声を音声出力部３２から出力する（ＳＥＱ６）。このため、領域Ｐ内に位置する各無線端末２６から、緊急情報に応じた音声が出力される。
【００７２】
そして、無線端末２６の操作部４０がユーザによって操作指示されると（ＳＥＱ７）、通信制御部４６Ｂが、無線通信の周波数を第２周波数に切替えるように切替部４６Ａを制御する（ＳＥＱ８）。また、通信制御部４６Ｂは、無線端末２６の音声入力部４２から受信した出力情報を、第２通信装置２０へ送信する（ＳＥＱ１０）。該出力情報を受信した第２通信装置２０は、受信した出力情報を出力装置２２へ送信する（ＳＥＱ１１）。このため、出力装置２２は、第２通信装置２０との間で無線通信を確立した状態の無線端末２６から受け付けた出力情報に応じた画像または出力情報に応じた音声を出力することとなる。すなわち、出力装置２２が、無線端末２６によって遠隔操作可能な状態となる。
【００７３】
また、さらに、無線端末２６から出力情報を受信した第２通信装置２０は、受信した出力情報を、第２周波数で領域Ｐ内の各無線端末２６へ送信する（ＳＥＱ１２）。このため、上記ＳＥＱ１０、ＳＥＱ１１で出力装置２２を遠隔操作可能な状態となった無線端末２６から、該無線端末２６以外の無線端末２６に向かって上記出力情報が配信されることとなる。
【００７４】
次に、無線端末２６が実行する緊急速報処理について説明する。
【００７５】
図９は無線端末２６が実行する緊急処理の手順を示すフローチャートである。
【００７６】
まず、無線端末２６の図示を省略する電源スイッチがユーザによって操作指示されることで、無線端末２６の装置各部に電力が供給されると、無線端末２６では、初期設定として、無線通信に用いる周波数を第３周波数（他の無線端末２６と無線通信するときに用いる周波数）に設定した後に、ステップＳ１０１へ進む。
【００７７】
ステップＳ１０１では、通信制御部４６Ｂが、チャンネルスキャンを実行する制御を行う（ステップＳ１０１）。ステップＳ１０１では、通信制御部４６Ｂが、無線通信する周波数を、第１周波数、第３周波数との間で順次切り替えるように切替部４６Ａを制御する。
【００７８】
次に、制御部４６が、上記ステップＳ１０１の処理によって切替えられた各周波数で、アンテナ４１を介して第３無線部４８で他の装置（第１通信装置１８、または無線端末２６）から周波数情報、呼び出し符号を受信したか否かを判断する（ステップＳ１０２）。ステップＳ１０２の判断は、第１周波数または第３周波数の何れかで無線通信したときに呼び出し符号を受け付けたか否かを判別することで行う。呼び出し符号の具体例は、無線端末２６および第１通信装置１８、第２通信装置２０に個別に対応付けれる個別ＩＤおよび所定のグループに対応付けられるグループＩＤである。
【００７９】
ステップＳ１０２で否定されると（ステップＳ１０２：Ｎｏ）、ステップＳ１０１へ戻り、呼び出し符号を受信するまでチャンネルスキャンを繰り返す。
【００８０】
一方、ステップＳ１０２で肯定判断すると（ステップＳ１０２：Ｙｅｓ）、チャンネルスキャンを停止し、ステップＳ１０４へ進む。これによって、無線端末２６は、ステップＳ１０２で呼び出し符号を受信したときに切替部４６Ａで設定されていた周波数で無線通信を開始する。
【００８１】
ステップＳ１０４では、上記ステップＳ１０２で受信した呼び出し符号の送信元の装置が、第１通信装置１８であるか否かを判断する（ステップＳ１０４）。ステップＳ１０４の判断は、呼び出し符号を受信したときに呼び出し符号に含まれる送信元の第１通信装置１８の個別ＩＤを判別することで行う。なお、ステップＳ１０４の判断は、呼び出し符号を受信したときに切替部４６Ａで設定されていた周波数が、第１周波数であるか否かを判別することで行ってもよい。
【００８２】
次に、ステップＳ１０４で否定され（ステップＳ１０４：Ｎｏ）、上記ステップＳ１０２で受信した呼び出し符号の送信元の装置が、無線端末２６である場合には、ステップＳ１０５へ進む。ステップＳ１０５では、上記ステップＳ１０２で受信した呼び出し符号の送信元の装置である他の無線端末２６から第３周波数で受信を開始し（ステップＳ１０５）、受信が終了するまで、該受信を継続し、本ルーチンを終了する。
【００８３】
一方、上記ステップＳ１０４で肯定され（ステップＳ１０４：Ｙｅｓ）、上記ステップＳ１０２で受信した呼び出し符号の送信元の装置が、第１通信装置１８である場合には、ステップＳ１０６へ進む。
【００８４】
上記ステップＳ１０２、ステップＳ１０４の処理によって、無線端末２６は、第１通信装置１８と第１周波数で無線通信可能な状態となる。
【００８５】
次に、無線端末２６の制御部４６が、第１通信装置１８からアラート信号を受信したか否かを判断する（ステップＳ１０６）。そして、切替部４６Ａは、第１通信装置１８からアラート信号を受信するまで否定判断を繰り返し（ステップＳ１０６：Ｎｏ）、アラート信号を受信すると肯定判断する（ステップＳ１０６：Ｙｅｓ）。
【００８６】
次に、無線端末２６の制御部４６が、ステップＳ１０６で受信したアラート信号によって示される警告情報を、表示部３６へ表示する（ステップＳ１０８）。ステップＳ１０８の処理によって、緊急情報の受信前に、警告情報を表示部３６へ表示することができる。
【００８７】
表示部３６で表示される警告情報の具体例は、「地震発生」等のテキストデータである。警告情報は、一度表示したら、一定時間表示し続ける。なお、無線端末２６はアラート信号の表示を、行わなくとも良い。また、例えば無線端末２６に表示部がない場合などは、ステップＳ１０６および、ステップＳ１０８は省略されてもよい。
【００８８】
次に、無線端末２６の制御部４６が、第１通信装置１８から緊急情報を受信したか否かを判断する（ステップＳ１１０）。ステップＳ１１０で否定判断すると（ステップＳ１１０：Ｎｏ）、上記ステップＳ１０８へ戻る。一方、ステップＳ１１０で肯定判断すると（ステップＳ１１０：Ｙｅｓ）、ステップＳ１１２へ進む。
【００８９】
次に、無線端末２６の制御部４６が、ステップＳ１１０で受信した緊急情報を音声出力部３２に出力する（ステップＳ１１２）。
【００９０】
ステップＳ１１２の処理によって、第１通信装置１８から送信された緊急情報が、領域Ｐ内に位置する無線端末２６に出力される。
【００９１】
次に、通信制御部４６Ｂが、操作部４０による操作指示を有効に切り替える制御を行う（ステップＳ１１４）。ステップＳ１１４の処理によって、緊急情報を受信した後の無線端末２６では、ユーザによる操作指示によって操作部４０が操作されたときに、操作部４０から入力された信号を通信制御部４６Ｂが受け付ける状態となる。
【００９２】
次に、通信制御部４６Ｂは、ユーザによって操作部４０が操作指示されたか否かを判断する（ステップＳ１１６）。ステップＳ１１６の判断は、操作部４０がユーザによって操作指示されることで、該操作部４０から特定の信号（例えば、第１信号）が入力されたか否かを判別することで判断すればよい。この第１信号は、操作部４０がユーザによって操作指示されることで、操作部４０から制御部４６に送信されるようにすればよい。
【００９３】
ステップＳ１１６で否定判断すると（ステップＳ１１６：Ｎｏ）、ステップＳ１１６の判断を行う処理を繰り返す。一方、ステップＳ１１６で肯定判断すると（ステップＳ１１６：Ｙｅｓ）、ステップＳ１１８へ進む。
【００９４】
ステップＳ１１８では、通信制御部４６Ｂが、第２通信装置２０と無線通信するための第２周波数へ無線通信の周波数を切替えるように、切替部４６Ａを制御する、チャンネル切替を行う（ステップＳ１１８）。ステップＳ１１８の処理によって、無線端末２６は、第１通信装置１８との通信が遮断され、第２通信装置２０と第２周波数で無線通信可能な状態となる。
【００９５】
次に、ＰＴＴボタン３９がユーザによって操作指示されたか否を判断する（ステップＳ１１９）。ステップＳ１１９の判断は、ユーザによってＰＴＴボタン３９が操作されることで該ＰＴＴボタン３９からＰＴＴ信号を制御部４６で受け付けたか否かを判別することで行う。そして、ＰＴＴボタン３９がユーザによって操作指示されたと判断された場合（ステップＳ１１９：Ｙｅｓ）は、通信制御部４６Ｂが、無線端末２６の音声入力部４２から入力された音声情報を、出力装置２２から出力するための出力情報として受け付け、第３無線部４８及びアンテナ４１を介して第２通信装置２０へ送信する送信処理を開始する（ステップＳ１２０）。
【００９６】
ステップＳ１２０の処理によって無線端末２６から出力情報を受け付けた第２通信装置２０は、受け付けた出力情報を順次出力装置２２へ出力する。出力装置２２は、受け付けた出力情報を、出力部２２Ｄから領域Ｐ内へ出力する。
【００９７】
ステップＳ１２０の処理によって、緊急情報を受信した後に、操作部４０が操作された無線端末２６では、領域Ｐ内に出力情報を出力する出力装置２２から、音声情報等の各種情報を出力可能な状態となる。言い換えれば、ステップＳ１２０の処理によって、第２通信装置２０と無線通信を開始した無線端末２６では、出力装置２２を遠隔操作可能な状態となる。
【００９８】
次に、通信制御部４６Ｂは、第２通信装置２０との通信が終了したか否かを判断し（ステップＳ１２２）、終了したと判断するまで否定判断を繰り返す（ステップＳ１２２：Ｎｏ）。ステップＳ１２２の判断は、例えば、ユーザによる無線端末２６の操作部３８の操作等によって通信終了が指示されたか否かを判別することによって行う。
【００９９】
ステップＳ１２２で肯定判断すると（ステップＳ１２２：Ｙｅｓ）、ステップＳ１２４へ進む。ステップＳ１２４では、通信制御部４６Ｂが、操作部４０からの指示を遮断した状態にすることで、操作部４０を無効に切り替える（ステップＳ１２４）。そして、本ルーチンを終了する。
【０１００】
一方、上記ステップＳ１１９の処理によって、ＰＴＴボタン３９がユーザによって操作指示されなかったと判断された場合（ステップＳ１１９：Ｎｏ）は、ステップＳ１２６へ進む。ステップＳ１２６では、通信制御部４６Ｂは、ステップＳ１１８で切り替えされた第２周波数で受信信号があるかどうかを判断する（ステップＳ１２６）。すなわち、ステップＳ１２６では、無線端末２６は、同じ領域Ｑ内にある無線端末２６受信待ち受け状態となる。
【０１０１】
次に、通信制御部４６Ｂは、同じ領域Ｑ内にある他の無線端末２６から発信された出力情報を、第２周波数で受信する受信処理を開始する（ステップＳ１２８）。すなわち、出力装置２２に対して、出力情報を送信した無線端末２６から、該無線端末２６以外の第２周波数の受信待ち受け状態である他の無線端末２６へ向かって、該出力情報が出力されることとなる。ここで、上記ステップＳ１１６の処理によって当該無線端末２６で操作部４０がユーザによって操作されたときに、既に、先に他の無線端末２６から第２周波数で第２通信装置２０を介して出力装置２２へ出力情報の送信が開始されている場合がある。通信制御部４６Ｂは、上記ステップＳ１１６の処理によって当該無線端末２６で操作部４０がユーザによって操作されたあと、上記ステップＳ１１９の処理で、ＰＴＴボタン３９がユーザによって操作指示されるまでの間（ステップＳ１１９：Ｎｏ）に、第２周波数で受信する受信処理を開始する（ステップＳ１２８）ので、無線端末２６のユーザは、他の無線端末２６が第２周波数で出力情報を既に送信中であることを認識できる。
【０１０２】
次に、通信制御部４６Ｂは、第２通信装置２０との通信が終了したか否かを判断し（ステップＳ１３０）、終了したと判断するまで否定判断を繰り返す（ステップＳ１３０：Ｎｏ）。そして、ステップＳ１３０で肯定判断すると（ステップＳ１３０：Ｙｅｓ）、上記ステップＳ１２４へ戻る。
【０１０３】
以上説明したように、本実施の形態の無線システム１０では、速報装置１６が緊急速報を受け付け、速報装置１６から送信された緊急情報が第１通信装置１８から各無線端末２６へ送信される。そして、緊急情報を受信した後に、操作部４０が操作された無線端末２６では、領域Ｐ内に出力情報を出力する出力装置２２から、警告情報等の各種の出力情報を出力可能な状態となる。言い換えれば、緊急情報を受信した後に、操作部４０が操作されることで第２通信装置２０と無線通信を開始した無線端末２６では、出力装置２２を遠隔操作可能な状態となる。
【０１０４】
このため、速報装置１６が緊急速報を受け付けた場合に、無線端末２６から、領域Ｐ内に情報を出力可能な出力装置２２を遠隔操作して、該無線端末２６を操作するユーザが、各種の出力情報を領域Ｐ内に発信することができる。
【０１０５】
従って、本実施の形態の無線システム１０では、特定の領域に存在するユーザに対して的確な緊急情報を提供することができる、という効果が得られる。
【０１０６】
また、上述したように、本実施の形態の無線端末２６の通信制御部４６Ｂでは、第１通信装置１８から緊急情報を受信したときに、操作部４０による操作指示を有効に切り替え、第２通信装置２０との無線通信の終了後に、操作部４０による操作指示を無効に切り替える。
【０１０７】
このため、緊急の状態のみに、ユーザによる操作部４０の操作が有効となるので、ユーザによる誤操作を抑制することができる。
【０１０８】
なお、通信制御部４６Ｂは、操作部４０の操作指示を常時有効としてもよい。しかし、実施の形態の無線端末２６の通信制御部４６Ｂでは、第１通信装置１８から緊急情報を受信したときに、操作部４０による操作指示を有効に切り替え、第２通信装置２０との無線通信の終了後に、操作部４０による操作指示を無効に切り替える方が好ましい。
【０１０９】
また、通信制御部４６Ｂが操作部４０の操作指示を無効から有効に切り替える期間は、無線端末２６で緊急情報を受信してから所定時間の期間のみとしてもよい。また、通信制御部４６Ｂが操作部４０の操作指示を有効から無効に切り替えるタイミングは、第２通信装置２０との無線通信の終了後、一定時間操作部４０による操作指示がなかったとき、としてもよい。
【０１１０】
なお、上記実施の形態では、無線システム１０で用いられる無線端末２６を分類せずに用いる場合を説明したが、無線システム１０で用いる無線端末２６を複数の群に分類し、各群に属する無線端末２６ごとに、操作部４０による操作指示がなさられたときに実行可能な処理を区別してもよい。
【０１１１】
具体的には、無線システム１０では、無線システム１０に備えられている無線端末２６を、少なくとも２つの群（第１群、第２群）に分類し、各群に属する無線端末２６ごとに、操作部４０が操作指示されたときの無線端末２６における処理を異なるものとすることが好ましい。
【０１１２】
詳細には、無線システム１０に備えられている複数の無線端末２６を、２つの群（第１群、第２群）に予め分類する。第１群に属する無線端末２６を、以下では、第１無線端末２６Ａと称する。また、第２群に属する無線端末２６を、以下では、第２無線端末２６Ｂと称する。また、何れの群に属するかを区別することなく総称して説明する場合には、無線端末２６と称して説明する。
【０１１３】
第１群に属する第１無線端末２６Ａと、第２群に属する第２無線端末２６Ｂとでは、操作部４０が操作されたときの無線端末２６の動作が異なる。
【０１１４】
次に、無線端末２６を第１無線端末２６Ａと第２無線端末２６Ｂに分類した場合において、無線端末２６で実行する処理を説明する。なお、第１群に属する第１無線端末２６Ａの記憶部４４には、自端末が第１群に属する第１無線端末２６Ａであることを示す情報が格納されているものとする。また、第２群に属する第２無線端末２６Ｂの記憶部４４には、自端末が第２群に属する第２無線端末２６Ｂであることを示す情報が格納されているものとする。
【０１１５】
図１０は、無線端末２６を第１無線端末２６Ａ及び第２無線端末２６Ｂに分類したときの、各無線端末２６が実行する緊急処理の手順を示すフローチャートである。
【０１１６】
まず、無線端末２６の図示を省略する電源スイッチがユーザによって操作指示されることで、無線端末２６の装置各部に電力が供給されると、無線端末２６では、初期設定として、無線通信に用いる周波数を第３周波数（他の無線端末２６と無線通信するときに用いる）に設定した後に、ステップＳ２００へ進む。
【０１１７】
ステップＳ２００では、通信制御部４６Ｂが、操作部４０による操作指示を有効に切り替える（ステップＳ２００）。ステップＳ２００の処理によって、ユーザによる操作指示によって操作部４０が操作されたときに、操作部４０から入力された信号を通信制御部４６Ｂが受け付ける状態となる。
【０１１８】
ステップＳ２０２では、通信制御部４６Ｂが、第１周波数、第２周波数、及び第３周波数の間で周波数を切替えるチャンネルスキャンを実行する制御を行う（ステップＳ２０２）。
【０１１９】
次に、制御部４６が、上記ステップＳ２０２の処理によって切替えられた各周波数で、アンテナ４１を介して第３無線部４８で他の装置（第１通信装置１８、第２通信装置２０、または、他の無線端末２６）から情報（例えば、呼び出し符号）を受信したか否かを判断する（ステップＳ２０４）。
【０１２０】
次に、ステップＳ２０４で否定されると（ステップＳ２０４：Ｎｏ）、ステップＳ２０２へ戻り、呼び出し符号を受信するまでチャンネルスキャンを繰り返す。
【０１２１】
一方、ステップＳ２０４で肯定判断すると（ステップＳ２０４：Ｙｅｓ）、ステップＳ２０６へ進む。ステップＳ２０６では、上記ステップＳ１０４と同様に、上記ステップＳ２０４で受信した呼び出し符号の送信元の装置が、第１通信装置１８であるか否かを判断する（ステップＳ２０６）。
【０１２２】
次に、ステップＳ２０６で否定され（ステップＳ２０６：Ｎｏ）、上記ステップＳ２０４で受信した呼び出し符号の送信元の装置が、他の無線端末２６または第２通信装置２０である場合には、ステップＳ２０７へ進む。ステップＳ２０７では、上記ステップＳ２０４で受信した呼び出し符号の送信元の装置である他の無線端末２６から第３周波数で受信を開始、または該呼び出し符号の送信元の装置である第２通信装置２０から第２周波数で受信を開始し（ステップＳ２０７）、受信が終了するまで、該受信を継続し、本ルーチンを終了する。
【０１２３】
一方、上記ステップＳ２０６で肯定され（ステップＳ２０６：Ｙｅｓ）、上記ステップＳ２０４で受信した呼び出し符号の送信元の装置が、第１通信装置１８である場合には、ステップＳ２０８へ進む。
【０１２４】
次に、無線端末２６の制御部４６が、第１通信装置１８からアラート信号を受信したか否かを判断する（ステップＳ２０８）。そして、切替部４６Ａは、第１通信装置１８からアラート信号を受信するまで否定判断を繰り返し（ステップＳ２０８：Ｎｏ）、アラート信号を受信すると肯定判断する（ステップＳ２０８：Ｙｅｓ）。
【０１２５】
次に、無線端末２６の制御部４６が、ステップＳ２０８で受信したアラート信号によって示される警告情報を、表示部３６へ表示する（ステップＳ２１０）。
【０１２６】
次に、無線端末２６の制御部４６が、第１通信装置１８から緊急情報を受信したか否かを判断する（ステップＳ２１２）。ステップＳ２１２で否定判断すると（ステップＳ２１２：Ｎｏ）、上記ステップＳ２１０へ戻る。一方、ステップＳ２１２で肯定判断すると（ステップＳ２１２：Ｙｅｓ）、ステップＳ２１４へ進む。
【０１２７】
次に、無線端末２６の制御部４６が、ステップＳ２１２で受信した緊急情報を音声出力部３２に出力する（ステップＳ２１４）。
【０１２８】
ステップＳ２１４の処理によって、第１通信装置１８から送信された緊急情報が、領域Ｐ内に位置する無線端末２６に出力される。
【０１２９】
次に、制御部４６が、自端末が第２無線端末２６Ｂであるか否かを判断する（ステップＳ２１６）。ステップＳ２１６の判断は、記憶部４４に記憶されている無線端末２６を示す情報が、第２無線端末２６Ｂを示す情報であるか否を判別することによって行う。
【０１３０】
ステップＳ２１６で否定判断し（ステップＳ２１６：Ｎｏ）、自端末が第２無線端末２６Ｂではない、すなわち、自端末が第１無線端末２６Ａである場合には、ステップＳ２１８へ進む。
【０１３１】
ステップＳ２１８では、通信制御部４６Ｂが、操作部４０からの指示を遮断した状態にすることで、操作部４０を無効に切り替える制御を行う（ステップＳ２１８）。そして、本ルーチンを終了する。
【０１３２】
一方、ステップＳ２１８で肯定判断し（ステップＳ２１８：Ｙｅｓ）、自端末が第２無線端末２６Ｂである場合には、ステップＳ２２０へ進む。
【０１３３】
ステップＳ２２０では、通信制御部４６Ｂが、ユーザによって操作部４０が操作指示されたか否かを判断する（ステップＳ２２０）。ステップＳ２２０の判断は、ステップＳ１１６と同様にして行う。ステップＳ２２０で否定判断すると（ステップＳ２２０：Ｎｏ）、本ルーチンを終了する。一方、ステップＳ２２０で肯定判断すると（ステップＳ２２０：Ｙｅｓ）、ステップＳ２２２へ進む。
【０１３４】
ステップＳ２２２では、通信制御部４６Ｂが、第２通信装置２０と無線通信するための第２周波数へ無線通信の周波数を切替えるように、切替部４６Ａを制御する、チャンネル切替を行う（ステップＳ２２２）。ステップＳ２２２の処理によって、第２無線端末２６Ｂは、第１通信装置１８との通信が遮断され、第２通信装置２０と第２周波数で無線通信可能な状態となる。
【０１３５】
次に、ＰＴＴボタン３９がユーザによって操作指示されたか否を判断する（ステップＳ２２３）。そして、ＰＴＴボタン３９がユーザによって操作指示されたと判断された場合（ステップＳ２２３：Ｙｅｓ）は、ステップＳ２２４へ進む。
【０１３６】
次に、通信制御部４６Ｂが、第２無線端末２６Ｂの音声入力部４２から入力された音声情報を、出力装置２２から出力するための出力情報として受け付け、第３無線部４８及びアンテナ４１を介して第２通信装置２０へ送信する送信処理を開始する（ステップＳ２２４）。
【０１３７】
ステップＳ２２４の処理によって第２無線端末２６Ｂから出力情報を受け付けた第２通信装置２０は、受け付けた出力情報を順次出力装置２２へ出力する。出力装置２２は、受け付けた出力情報を、出力部２２Ｄから領域Ｐ内へ出力する。
【０１３８】
次に、第２無線端末２６Ｂの通信制御部４６Ｂは、第２通信装置２０との通信が終了したか否かを判断し（ステップＳ２２６）、終了したと判断するまで否定判断を繰り返す（ステップＳ２２６：Ｎｏ）。ステップＳ２２６の判断は、例えば、ユーザによる第２無線端末２６Ｂの操作部３８の操作等によって通信終了が指示されたか否かを判別することによって行う。
【０１３９】
ステップＳ２２６で肯定判断すると（ステップＳ２２６：Ｙｅｓ）、本ルーチンを終了する。
【０１４０】
一方、上記ステップＳ２２３の処理によって、ＰＴＴボタン３９がユーザによって操作指示されなかったと判断された場合（ステップＳ２２３：Ｎｏ）は、ステップＳ２２８へ進む。ステップＳ２２８では、通信制御部４６Ｂは、ステップＳ２２２で切り替えされた第２周波数で受信信号があるかどうかを判断する（ステップＳ２２８）。すなわち、ステップＳ２２８では、第２無線端末２６Ｂは、同じ領域Ｑ内の他の第２無線端末２６Ｂからの受信待ち受け状態となる。
【０１４１】
すなわち、上記ステップＳ２２０の処理によって当該第２無線端末２６Ｂで操作部４０がユーザによって操作されたときに、既に、先に同じ領域Ｑ内の他の第２無線端末２６Ｂから第２周波数で第２通信装置２０を介して出力装置２２へ出力情報の送信が開始されている場合がある。この場合には、他の第２無線端末２６Ｂから送信された出力情報が、第２通信装置２０に送信され、出力装置２２から出力されることとなる。同時に、第２無線端末２６Ｂのユーザは、第２周波数に切り換えたときに、同じ領域Ｑ内の他の第２無線端末２６Ｂから第２周波数で出力情報が受信され、出力されることになるので、他の第２無線端末２６Ｂが第２周波数で出力情報を既に送信中であることがわかる。
【０１４２】
次に、第２無線端末２６Ｂの通信制御部４６Ｂは、他の第２無線端末２６Ｂから発信された出力情報を、第２通信装置２０を介して第２周波数で受信する受信処理を開始する（ステップＳ２３０）。すなわち、出力装置２２との接続を確立した状態の他の第２無線端末２６Ｂから、該第２無線端末２６Ｂ以外の第２周波数の受信待ち受け状態である他の第２無線端末２６Ｂへ向かって、該出力情報が出力されることとなる。なお、第１無線端末２６Ａについては、上記ステップＳ２００〜ステップＳ２０８及びステップＳ２０７の処理によって、第１無線端末２６Ａから第２通信装置２０を介して出力情報を受信することもできる。
【０１４３】
次に、通信制御部４６Ｂは、第２通信装置２０との通信が終了したか否かを判断し（ステップＳ２３２）、終了したと判断するまで否定判断を繰り返す（ステップＳ２３２：Ｎｏ）。そして、ステップＳ２３２で肯定判断すると（ステップＳ２３２：Ｙｅｓ）、本ルーチンを終了する。
【０１４４】
以上説明したように、無線端末２６を第１無線端末２６Ａと第２無線端末２６Ｂに分類し、第１無線端末２６Ａについては、緊急情報を受信した後には、操作部４０の操作が無効とされる。一方、第２無線端末２６Ｂについては、緊急情報を受信した後についても、操作部４０の操作が有効となる。
【０１４５】
このため、管理者等の特定のユーザに第２無線端末２６Ｂを配布し、管理者以外のユーザ（一般ユーザ）に第１無線端末２６Ａを配布することで、領域Ｐに位置する各無線端末２６で緊急情報を受信したときに、より的確な情報を発信する可能性の高いユーザによって保持されている第２無線端末２６Ｂから、出力情報を領域Ｐ内に出力することができる。
【０１４６】
なお、本実施の形態の速報装置１６、第１通信装置１８、第２通信装置２０、出力装置２２、及び無線端末２６は、ＣＰＵなどの制御装置を備えており、通常のコンピュータを利用したハードウェア構成となっている。
【０１４７】
本実施形態の速報装置１６、第１通信装置１８、第２通信装置２０、出力装置２２、及び無線端末２６の各々で実行される各種処理を実行するためのプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供されてもよい。
【０１４８】
また、本実施形態の速報装置１６、第１通信装置１８、第２通信装置２０、出力装置２２、及び無線端末２６で実行される各種処理を実行するためのプログラムを、インターネット等のネットワークに接続されたコンピュータ上に格納し、ネットワーク経由でダウンロードさせることにより提供するように構成してもよい。また、本実施形態の速報装置１６、第１通信装置１８、第２通信装置２０、出力装置２２、及び無線端末２６で実行される各種処理を実行するためのプログラムをインターネット等のネットワーク経由で提供または配布するように構成してもよい。
【０１４９】
また、本実施形態の速報装置１６、第１通信装置１８、第２通信装置２０、出力装置２２、及び無線端末２６で実行される各種処理を実行するためのプログラムを、ＲＯＭ等に予め組み込んで提供するように構成してもよい。
【０１５０】
なお、本実施形態の速報装置１６、第１通信装置１８、第２通信装置２０、出力装置２２、及び無線端末２６で実行される各種処理を実行するためのプログラムは、上述した処理を実行するための機能部を含むモジュール構成となっており、実際のハードウェアとしてはＣＰＵ（プロセッサ）が上記記憶媒体から各種プログラムを読み出して実行することにより上記各機能部が主記憶装置上にロードされ、主記憶装置上に生成されるようになっている。
【０１５１】
なお、上記には、本発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【０１５２】
１０  無線システム
１６  速報装置
１６Ａ  第１通信部
１６Ｂ  第２通信部
１６Ｅ  作成部
１８  第１通信装置
１８Ａ  第３通信部
１８Ｄ  第１無線部
２０  第２通信装置
２０Ａ  第４通信部
２０Ｄ  第２無線部
２２  出力装置
２２Ａ  第５通信部
２２Ｄ  出力部
２６  無線端末
２６Ａ  第１無線端末
２６Ｂ  第２無線端末
３２  音声出力部
４０  操作部
４２  音声入力部
４６Ａ  切替部
４６Ｂ  通信制御部
４８  第３無線部
【図１】
2013183448.tif 000003
【図２】
2013183448.tif 000004
【図３】
2013183448.tif 000005
【図４】
2013183448.tif 000006
【図５】
2013183448.tif 000007
【図６】
2013183448.tif 000008
【図７】
2013183448.tif 000009
【図８】
2013183448.tif 000010
【図９】
2013183448.tif 000011
【図１０】
2013183448.tif 000012